(57)【要約】【課題】透明板裏面とガイドレールの前端縁との間の隙間を塞ぎ、その隙間から行なわれる不正行為を未然に防止し、しかも、ガイドレールには容易に外れないように取着される不正防止部材の取付構造を提供する。【解決手段】不正防止部材２３は、基端側部の長手方向に沿って設けられガイドレール４ｂの前端部が嵌入する切込み溝２５を後端面に凹設した取付条部２４ｂと、先端側部の長手方向に沿って設けられ透明板保持枠１２を閉めたとき該透明板保持枠１２に装着された透明板１４の裏面に圧接する押圧条部２４ａとを備え、切込み溝２５の内面に段部２６を設け、ガイドレール４ｂにはその前端部に段部４ｂに係合し得る突部２８を設け、切込み溝２５にガイドレール４ｂの前端部を嵌入すると共に段部２６に突部２８を係合させるようにした。【選択図】図４
2007068703.tif 000002
【特許請求の範囲】
【請求項１】
可撓性を有する弾性部材によって細長状に成形され内枠に配設した遊技盤前面のガイドレールの前端部に所定の範囲に亘り取着する不正防止部材の取付構造であって、
前記不正防止部材は、基端側部の長手方向に沿って設けられ前記ガイドレールの前端部が嵌入する切込み溝を後端面に凹設した取付条部と、先端側部の長手方向に沿って設けられ前記内枠の前面に軸着した透明板保持枠を閉めたとき該透明板保持枠に装着された透明板の裏面に圧接する押圧条部とを備え、前記切込み溝の内面に該切込み溝の溝幅が広がるような段部を設け、一方、前記ガイドレールにはその前端部に前記段部に係合し得る突部を設け、前記切込み溝に前記ガイドレールの前端部を嵌入すると共に前記段部に前記突部を係合させるようにした不正防止部材の取付構造。
【請求項２】
前記段部は前記切込み溝全体に連続して設けられている請求項１記載の不正防止部材の取付構造。
【請求項３】
前記ガイドレールにおける前記遊技盤に開設されたアウト球口に対応する部位に、前記ガイドレールの前端縁に設けられた一対の切欠部に挟まれるようにして下方へ窪む誘導面部が成形され、前記両切欠部間では前記不正防止部材が前記誘導面部に下方から支持されるようにした請求項１又は２記載の不正防止部材の取付構造。
【発明の詳細な説明】
【技術分野】
【０００１】
本発明は、遊技盤面に配置されるガイドレールの前端縁とこれと対向する透明板保持枠の透明板裏面との間の隙間から行なわれる不正行為を防止する不正防止部材の取付構造に関するものである。
【背景技術】
【０００２】
従来、遊技機の一種であるパチンコ遊技機は、内枠に配設した遊技盤の前面に遊技部を囲うようにして外側のガイドレールと内側のガイドレールとが渦巻状に敷設されている。遊技部には、例えば障害釘、風車、一般入賞口、大型の入賞装置等の盤面部品が装着される。また、前記内枠の前面には遊技盤の前面を覆うようにして透明板保持枠が開閉自在に軸装される。該透明板保持枠は遊技部が臨む窓開口を有し、該窓開口に該窓開口を塞ぐようにして前後一対の透明板が装着されている（例えば、特許文献１参照。）。
【特許文献１】実開平６−８０４７５号公報（第４−５頁、図２）
【発明の開示】
【発明が解決しようとする課題】
【０００３】
ところで、前記特許文献１のパチンコ遊技機にあっては、透明板保持枠を閉めたとき、透明板の裏面と外側・内側のガイドレールの前端縁との間に僅かな隙間が生じる。そこで、パチンコ遊技機の前側からピアノ線または「セル板」と称される合成樹脂製の薄い帯板等の不正具を下部球受皿の球排出口を介して溢れ球通路、ファール球排出通路内に這わせ、更に、前記透明板の裏面と内側のガイドレールの前端縁との間の隙間から前記不正具を遊技部に侵入させる。そして、例えば故意に入賞装置の球入口を開閉する開閉扉を開いたり一般入賞口へ遊技球を誘導させたりして不正に多くの賞球を得るといった不正行為が行なわれている。
【０００４】
そこで、本発明は上記課題を解決すべくなされたもので、透明板の裏面と外側・内側のガイドレールの前端縁との間の隙間を塞ぐようにして不正具の侵入を防ぎ、その隙間から行なわれる不正行為を未然に防止するようにし、しかも、ガイドレールにはしっかりと取着され容易に外れないようにした不正防止部材の取付構造を提供することを目的とするものである。
【課題を解決するための手段】
【０００５】
かかる目的を達成するため本発明に係る不正防止部材の取付構造は、可撓性を有する弾性部材によって細長状に成形され内枠に配設した遊技盤前面のガイドレールの前端部に所定の範囲に亘り取着する不正防止部材の取付構造であって、前記不正防止部材は、基端側部の長手方向に沿って設けられ前記ガイドレールの前端部が嵌入する切込み溝を後端面に凹設した取付条部と、先端側部の長手方向に沿って設けられ前記内枠の前面に軸着した透明板保持枠を閉めたとき該透明板保持枠に装着された透明板の裏面に圧接する押圧条部とを備え、前記切込み溝の内面に該切込み溝の溝幅が広がるような段部を設け、前記ガイドレールにはその前端部に前記段部に係合し得る突部を設け、前記切込み溝に前記ガイドレールの前端部を嵌入すると共に前記段部に前記突部を係合させるようにした構成からなる。
【０００６】
前記段部は前記切込み溝全体に連続して設けられることが好ましい。
【０００７】
また、前記ガイドレールにおける前記遊技盤に開設されたアウト球口に対応する部位に、前記ガイドレールの前端縁に設けられた一対の切欠部に挟まれるようにして下方へ窪む誘導面部が成形され、前記両切欠部間では前記不正防止部材が前記誘導面部に下方から支持されることが好ましい。
【発明の効果】
【０００８】
請求項１記載の不正防止部材の取付構造は、不正防止部材の切込み溝にガイドレールの前端部を嵌入すると共に段部に該ガイドレールの突部を係合させることにより不正防止部材をガイドレールの前端部に取着するようにしたので、透明板保持枠を閉めたとき透明板の裏面に押圧条部が圧接してガイドレールの前端縁と透明板の裏面との間の隙間を密閉状に塞ぐ。これにより、前記隙間を介して遊技部に不正具を侵入させようとしても不正防止部材により阻まれ、前記隙間を介して行われる不正行為が未然に防止されるという効果がある。
【０００９】
この際、前記透明板と対向する先端側部の押圧条部をその長手方向に対し直交する面における断面形状が中空パイプ状となるように成形すれば、その押圧条部の弾発力が増して透明板の裏面に対する圧接力が高められ、不正防止効果が向上する。
【００１０】
また、不正防止部材の切込み溝に段部を設け、ガイドレールの前端部に該段部に係合する突部を設けるようにしたので、不正防止部材がガイドレールにしっかりと取り付けられ取付状態が安定する。よって、例えばパチンコホールで営業終了後に前記遊技盤面及びガイドレールをブラシにより掃除した際、前記ブラシによって不正防止部材がガイドレールから外れてしまうといった不具合が生ずることはない。
【００１１】
請求項２記載の不正防止部材の取付構造は、段部を切込み溝全体に連続して設けるようにしているので、ガイドレール側の突部はその前端部であればどこでも前記段部に係合することになり、突部の位置決めが簡単になる。
【００１２】
また、請求項３記載の不正防止部材の取付構造は、ガイドレールにおけるアウト球口に対応する部位では両切欠部間の不正防止部材が誘導面部により下方から支持されるので、この間にあっても透明板裏面への圧接力が低下するようなことはなく、他の部位と同様に不正防止機能が確保される。
【発明を実施するための最良の形態】
【００１３】
以下、本発明に係る不正防止部材の取付構造の実施の形態を図面に基づき説明する。なお、本発明はパチンコ遊技機、アレンジボール機または雀球遊技機等の遊技機に適用されるが、その内、その一例としてパチンコ遊技機について説明する。図１は本発明が適用されるパチンコ遊技機の正面図、図２は同透明板保持枠及び前板を開いた状態の斜視図である。
【００１４】
パチンコ遊技機Ｐは、縦長方形状の外枠１の前側に内枠２が開閉自在に装着され、該内枠２に遊技盤３が配設されている。遊技盤３の前面に、外側・内側のガイドレール４ａ，４ｂが渦巻状に敷設して配置され、外側・内側のガイドレール４ａ，４ｂにより囲まれて遊技部３ａが成形されている。
【００１５】
前記遊技部３ａには、遊技部３ａを流下する遊技球の流れ方向をランダムに変化させ興趣のあるゲーム性を与える多くの障害釘５ａや風車５ｂ、一回の入賞により所定個数（例えば、１３個）の賞球が払い出される一般入賞口６、一度に多くの入賞球が発生し沢山の賞球が得られる大型の入賞装置７等の所謂盤面部品が配置される。遊技部３ａの下部には内側のガイドレール４ｂに接するようにしてアウト球口８が開設されている。内枠２であって遊技盤３の下部前面には、その一側に打球発射レール９が装着され、また、その先端がファール球排出口１０を介して前記外側のガイドレール４ａの始端部と連なっている。打球発射レール９の発射部９ａには、発射装置に組み込まれた打球槌１１の先端が臨むようになっている。
【００１６】
一方、前記内枠２の前側に遊技盤３の前面を覆う透明板保持枠１２が開閉自在に軸着される。該透明板保持枠１２は、その中央に前記遊技盤３前面の遊技部３ａが臨む窓開口１３が開設され、該窓開口１３に一対の合成樹脂製の透明板１４が装着される。なお、該透明板１４はガラス製であっても良い。透明板保持枠１２の下方に前板１５が開閉自在に装着される。この前板１５の前面には、前記打球発射レール９の発射部９ａに供給される賞球または貸し球としての遊技球を貯留するための上部球受皿１６が装着される。
【００１７】
また、前記内枠２の下端部前面に前記上部球受皿１６から溢れる遊技球を貯留するための下部球受皿１７が装着される。該下部球受皿１７の一側に灰皿１８が取着され、他側には前記打球槌１１による打球の発射力を調整するための操作ハンドル１９が装着される。前記内枠２に開設され賞球または貸し球としての遊技球を上部球受皿１６に払い出す球払出口２０と上部球受皿１６の溢れ球を下部球受皿１７に排出する球排出口２１とは溢れ球排出通路（図示せず。）により連なっており、しかも、前記ファール球排出口１０はファール球排出通路（図示せず。）を介して前記溢れ球排出通路と連通している。
【００１８】
そこで、発射部９ａから発射された打球は、外側のガイドレール４ａと内側のガイドレール４ｂとの間の球飛走通路２２を通って遊技部３ａに打ち込まれることになる。その内、例えば一般入賞口６に打球が入賞すると、球払出装置（図示せず。）から所定量の賞球としての遊技球が払い出される。これら賞球は球払出口２０を介して上部球受皿１６に貯留される。一方、打ち出されても前記遊技部３ａに到達しなかった遊技球は、ファール球として球飛走通路２２を戻りファール球排出口１０からファール球排出通路に落下し、溢れ球通路、球排出口２１を介して下部球受皿１７に排出される。
【００１９】
このように、球排出口２１とファール球排出口１０とは繋がっている。また、外側・内側のガイドレール４ａ，４ｂの前端縁とこれと対向する透明板保持枠１２の透明板１４裏面との間には僅かな隙間ｔが生じている。このため、例えば、パチンコ遊技機Ｐの前側からピアノ線またはセル板といった不正具を前記球排出口２１内に挿入し、溢れ球通路、ファール球排出通路を介してファール球排出口１０から上方へ這わせる。更に、前記内側のガイドレール４ｂの前端縁と透明板１４の裏面との間の隙間ｔから不正具を遊技部３ａ内に侵入させて不正行為を行なうおそれがある。
【００２０】
そこで、本発明は、前記不正行為を防止すべく前記内側のガイドレール４ｂの前端部に不正防止部材２３を取着するようにした。この不正防止部材２３は、例えばゴムまたはエラストマー製であって可撓性があると共に比較的強い弾力性を有し、図３に示すように所定の長さを有し細長状に成形される。可撓性が有り所要の弾力性を有すれば、他の素材を用いて不正防止部材２３を成形しても良い。そして、自然の状態で幅寸法が前記内側のガイドレール４ｂの前端縁と透明板１４裏面との間の隙間ｔよりも長く設定される。ただ、不正防止部材２３は内側のガイドレール４ｂに装着されるほか、外側のガイドレール４ａに装着するようにしても良いことから、前記不正防止部材２３はその幅寸法が、外側・内側のガイドレール４ａ，４ｂの一側面に沿って転動する遊技球の支障にならないような範囲で設定される。
【００２１】
また、図３に拡大して示すように不正防止部材２３は、基端側部の長手方向に沿って内側のガイドレール４ｂの前端部が嵌入する取付条部２４ｂが設けられ、先端側部の長手方向に沿って前記内枠２の前面に軸着した透明板保持枠１２を閉めたとき該透明板保持枠１２に装着された透明板１４の裏面に圧接する押圧条部２４ａが設けられている。更に詳しく説明すると、前記基端側部である取付条部２４ｂは、後端面に内側のガイドレール４ｂの前端部が嵌入する切込み溝２５が凹設される。そして、該切込み溝２５の内面一側に該切込み溝２５の溝幅が広がるような段部２６が設けられる。この段部２６に後記する内側のガイドレール４ｂに設けられた突部２８が係合することになる。
【００２２】
一方、前記先端側部である押圧条部２４ａはその長手方向に対し直交する面における断面形状が中空円パイプ状に成形され、その外径寸法は、取付条部２４ｂの厚み寸法よりも長く設定される。このように押圧条部２４ａを中空円パイプ状に成形したのは、透明板１４の裏面に不正防止部材２３を強く弾発的に圧接する必要があることからその弾発力を高めるためである。所要の弾力性が得られれば、押圧条部２４ａを中空円パイプ状にすることなく、中実成形するようにしても良い。
【００２３】
内側のガイドレール４ｂは遊技部３ａを囲うように所定の長さ及び幅を有し、長手方向に沿った後端部に一定の間隔離して複数のレール釘２７が取着されている。また、長手方向に沿った前端部に一定の間隔離して複数の突部２８が設けられている。これら突部２８はプレスにより成形される。また、遊技盤３のアウト球口８に対応する部位には、前記内側のガイドレール４ｂの前端縁に設けられた一対の切欠部３０，３０に挟まれるようにして下方へ窪む誘導面部２９が成形されている。
【００２４】
前記段部２６は切込み溝２５の内面一側の全体に連続して設けるようにしても良く、前記内側のガイドレール４ｂの各突部２８に対応する位置のみに設けるようにしても良い。段部２６を切込み溝２５の全体に連続して設けるようにすれば、内側のガイドレール４ｂ側の各突部２８はその前端部であればどこでも前記段部２６に係合することになり、突部２８の位置決めが簡単になる。しかも、この場合、不正防止部材２３は押出成形できるので、製作が簡単であって製作コストも低廉になし得る。
【００２５】
このようにして成形される不正防止部材２３は、図４に示すように内側のガイドレール４ｂの前側から不正防止部材２３を宛がい、切込み溝２５に内側のガイドレール４ｂの前端部を嵌入する。これにより、切込み溝２５内の段部２６に各突部２８が係合して不正防止部材２３が内側のガイドレール４ｂの前端部にしっかりと取着され、簡単に外れないようになる。また、図５に示すように前記内側のガイドレール４ｂの前記アウト球口８に対応する部位の両切欠部３０，３０間では、不正防止部材２３が前記誘導面部２９により下方から支持される。
【００２６】
本発明に係る不正防止部材の取付構造は上記構成からなり、例えば、透明板保持枠１２を閉じた状態では、図６に示すように不正防止部材２３の先端側の押圧条部２４ａが潰れたように変形して透明板１４の裏面に圧接する。これにより、内側のガイドレール４ｂと透明板１４の裏面との間の隙間ｔが隙間なくしっかりと塞がれる。この際、特に、不正防止部材２３の押圧条部２４ａがその長手方向に沿って中空円パイプ状に成形されていることから、透明板１４の裏面に圧接したときもその弾発力が増して圧接力が高められる。よって、図６に示すように前記隙間ｔを介して遊技部３ａへ不正具Ｈを侵入させようとしても、不正防止部材２３により阻まれ、前記隙間ｔを介して行なわれる不正行為が未然に防止される。
【００２７】
また、不正防止部材２３を内側のガイドレール４ｂの前端部に取着した状態では、各突部２８が段部２６に係合するので、不正防止部材２３が内側のガイドレール４ｂにしっかりと取り付けられ取付状態が安定する。
【００２８】
本発明においては、内側のガイドレール４ｂの下部３分の２の範囲に亘り不正防止部材２３を装着するようにしたがこれに限られるものではなく、外側のガイドレール４ａに前記と同様に複数の突部２８を突設して取着しても良く、その範囲も自由に選択できる。所定範囲に亘りとは、不正行為を行なうため不正具Ｈが侵入するであろうとする範囲であって予め予測して決められる。よって、その範囲が時と共に変われば、その範囲を変更しても良い。
【００２９】
ここで、他の実施の形態に係る不正防止部材を説明する。図７（イ）の不正防止部材２３ａは、押圧条部２４ａの断面形状が菱形をなす中空パイプ状に成形されている。図７（ロ）の不正防止部材２３ｂは、押圧条部２４ａの断面形状が正六角形をなす中空パイプ状に成形され、しかも、その先端面３１が不正防止部材２３ｂの短手方向に対し直交するように位置している。よって、このような構成とすることにより、透明板１４の裏面にその先端面３１が圧接することになり密閉性が強まる。
なお、前記中空状の断面形状は例示したものに限らず他の形状であっても良い。
【００３０】
図７（ハ）の不正防止部材２３ｃは、押圧条部２４ａの断面形状が中空パイプ状ではなく、押圧条部２４ａ先端に上下一対の突出片３２，３２が先端に向かて突設されている。また、両突出片３２，３２の先端には、対向する面が互いに対称となるように内側へ傾斜する傾斜面３３，３３が設けられる。この場合は、前記上下の傾斜面３３，３３が共に透明板１４の裏面に圧接することとなるので、これにより透明板１４裏面との接触面積が広くなり密閉性が高まる。
【００３１】
更に、図８に他の実施の形態に係る不正防止部材を示す。この不正防止部材２３ｄは、構造的には前記本実施の形態で説明した不正防止部材２３と何ら異なるところはない。よって、本実施の形態に係る不正防止部材２３と同一部位は同一番号を附すことにより詳しい説明は省略する。
【００３２】
この不正防止部材２３ｄは、塩化ビニル系の合成樹脂材であって、押圧条部２４ａが発泡樹脂成形され、取付条部２４ｂが非発泡樹脂成形されている。そして、これらは同時に押出成形される。これは、例えば押圧条部２４ａを透明板保持枠１２の透明板１４裏面に長く押え付けていると、前記押圧条部２４ａの中空円パイプ状部が潰れたままとなって復元力すなわち本来の圧接力が弱まるおそれがある。そこで、前記押圧条部２４ａを発泡樹脂成形した。このように発泡樹脂成形することによって弾性復元力が増幅され、例えば図８に示すように長期に亘り使用された透明板保持枠１２を開いたときも、それまで透明板１４によって押され変形していた押圧条部２４ａの断面形状が元の円パイプ状に弾性復帰する。このように、弾性力の持続性に優れる。
【００３３】
以上のように、本発明は不正防止部材２３，２３ａ〜２３ｄの切込み溝２５に内側のガイドレール４ｂの前端部を嵌入すると共に段部２６に該内側のガイドレール４ｂの突部２８を係合させることにより不正防止部材２３，２３ａ〜２３ｄを内側のガイドレール４ｂの前端部に取着するようにしたので、透明板保持枠１２を閉めたとき透明板１４の裏面に押圧条部２４ａが圧接して内側のガイドレール４ｂの前端縁と透明板１４の裏面との間の隙間ｔを密閉状に塞ぐ。これにより、前記隙間ｔを介して遊技部に不正具Ｈを侵入させようとしても不正防止部材２３，２３ａ〜２３ｄにより阻まれ、前記隙間ｔを介して行われる不正行為が未然に防止される。
【００３４】
また、不正防止部材２３，２３ａ〜２３ｄの切込み溝２５に段部２６を設け、内側のガイドレール４ｂの前端部に該段部２６に係合する突部２８を設けるようにしたので、不正防止部材２３，２３ａ〜２３ｄが内側のガイドレール４ｂにしっかりと取り付けられ取付状態が安定する。よって、例えばパチンコホールで営業終了後に前記遊技盤３面及びガイドレール４ｂをブラシにより掃除した際、前記ブラシにより不正防止部材２３，２３ａ〜２３ｄが内側のガイドレール４ｂから外れてしまうといった不具合は生じない。
【００３５】
また、内側のガイドレール４ｂにおけるアウト球口８に対応する部位では、両切欠部３０，３０間の不正防止部材２３，２３ａ〜２３ｄが誘導面部２９により下方から支持されるので、この間にあっても透明板１４裏面への圧接力が低下するようなことはなく、他の部位と同様に不正防止機能が確保される。
【図面の簡単な説明】
【００３６】
【図１】本発明が適用されるパチンコ遊技機の正面図。
【図２】同透明板保持枠及び前板を開いた状態の斜視図。
【図３】内側のガイドレール及び不正防止部材の斜視図。
【図４】不正防止部材を取着した内側のガイドレール部位の側面断面図。
【図５】同内側のガイドレールの誘導面部部位の側面断面図。
【図６】不正防止部材の使用状態を示す要部の側面断面図。
【図７】（イ）（ロ）（ハ）は他の実施の形態に係る不正防止部材の横断面図。
【図８】他の実施の形態に係る不正防止部材の作用を示す要部の側面断面図。
【符号の説明】
【００３７】
２                      内枠
３                      遊技盤
４ａ                    外側のガイドレール
４ｂ                    内側のガイドレール
１２                    透明板保持枠
１４                    透明板
２３，２３ａ〜２３ｄ    不正防止部材
２４ａ                  押圧条部
２４ｂ                  取付条部
２５                    切込み溝
２６                    段部
２８                    突部
２９                    誘導面部
３０                    切欠部
Ｐ                      遊技機（パチンコ遊技機）
【図１】
2007068703.tif 000003
【図２】
2007068703.tif 000004
【図３】
2007068703.tif 000005
【図４】
2007068703.tif 000006
【図５】
2007068703.tif 000007
【図６】
2007068703.tif 000008
【図７】
2007068703.tif 000009
【図８】
2007068703.tif 000010